(57)【要約】【課題】少量の商品の購入を迅速に完了できるレジスターを提供すること。【解決手段】商品に施したバーコードを識別するバーコードリーダ２１と、予めバーコードと関連づけて商品の価格を登録したデータベース３と、データベース３から商品の価格を抽出して購入価格を算出する演算部４と、演算部４が算出した購入価格を精算する精算部５とを有するレジスターにおいて、バーコードリーダ２１の下方に商品を収容するレジ袋６１を開口状態で支持するレジ袋支持体６２を有するようにした。【選択図】        図１
2005258943.tif 000002
【特許請求の範囲】
【請求項１】
商品に施した識別符号を識別する識別部と、
予め前記識別符号と関連づけて商品の価格を登録したデータベースと、
前記データベースから商品の価格を抽出して購入価格を算出する演算部と、
前記演算部が算出した購入価格を精算する精算処理部と
を有するレジスターにおいて、
前記識別部の下方に商品を収容する袋体を開口状態で支持する袋体支持部を有することを特徴とするレジスター。
【請求項２】
前記識別部と袋体支持部との間に設けた商品の通過を検出する商品通過検出手段と、
前記識別部が前記識別符号を識別した後に前記商品通過検出手段が商品の通過を検出した場合に前記袋体に商品の収容を許容する一方、前記商品通過検出手段のみが商品の通過を検出した場合に警告する収容警告手段と
を有することを特徴とする請求項１に記載のレジスター。
【請求項３】
前記袋体支持部に支持した袋体に商品を搬出する商品搬出部を有し、
予め搬出する商品と関連づけて商品の価格を前記データベースに登録し、
前記搬出装置から商品を袋体に搬出した場合には、前記収容警告手段を無効化する一方、搬出した商品の価格を前記演算部が前記データベースから抽出して購入価格を算出することを特徴とする請求項２に記載のレジスター。
【請求項４】
前記精算処理部に精算処理の開始を指示する精算開始指示手段と、
前記精算開始指示手段の入力を条件に袋体に商品の収容を禁止する表示を行う表示手段と
を有することを特徴とする請求項１〜３のいずれか一つに記載のレジスター。
【請求項５】
前記袋体の取り出しを検出する袋体取出検出手段と、
前記精算処理部の精算処理が完了する前に前記袋体取出検出手段が前記袋体の取り出しを検出した場合に警告する袋体取出警告手段と
を有することを特徴とする請求項１〜４のいずれか一つに記載のレジスター。
【請求項６】
前記袋体支持部は、商品を収容した袋体の取出動作に連動し、新たな袋体を供給する袋体供給装置を有することを特徴とする請求項１〜５のいずれか一つに記載のレジスター。
【請求項７】
前記精算処理部が電子マネーのみによる精算処理を可能としたことを特徴とする請求項１〜６のいずれか一つに記載のレジスター。
【発明の詳細な説明】
【技術分野】
【０００１】
本発明は、レジスターに関し、特に少数の商品の購入に適したレジスターに関するものである。
【背景技術】
【０００２】
スーパーマーケット、コンビニエンスストア等の店舗においては、店舗の利用客自らが商品陳列台から商品を取り出して所定の場所（レジスターの設置場所）に運搬する一方、店舗の店員がレジスターを用いて、これらの商品の価格を合計し購入価格を算出する。そして、利用客と店員とは算出した購入価格を精算し、貨幣の収受を行っている。このような販売形態によれば、店舗の混雑時には、レジスター前に多数の利用客が並ぶ事態が生じうる。したがって、利用客は少量の商品の購入に際しても、レジスターが空くまで待つ必要があった（いわゆるレジ待ち）。
【０００３】
一方、近年、店員によらず利用客自らが商品の精算を行ういわゆるセルフレジスターが各種提案されている（特許文献１、特許文献２、特許文献３参照）。このレジスターによれば、レジスターを操作する店員を減らすことができ、効率的な店員配置が可能となる。しかしながら、これらのレジスターは利用客の不正行為の防止を重視するあまり、レジスターが大がかりなものとなっており、少量の商品の購入に際しても多くの手順を経る必要があった。この結果、利用客は少量の商品の購入に際しても多くの時間を必要とする。
【０００４】
【特許文献１】特開平６−２４３３４０号公報
【特許文献２】特開平１１−２３８１７５号公報
【特許文献３】特開平１０−６９５７４号公報
【発明の開示】
【発明が解決しようとする課題】
【０００５】
本発明は、上記実情に鑑みて、少量の商品の購入を迅速に完了できるレジスターを提供することを目的とする。
【課題を解決するための手段】
【０００６】
上記の目的を達成するために、本発明の請求項１に係るレジスターは、商品に施した識別符号を識別する識別部と、予め前記識別符号と関連づけて商品の価格を登録したデータベースと、前記データベースから商品の価格を抽出して購入価格を算出する演算部と、前記演算部が算出した購入価格を精算する精算処理部とを有するレジスターにおいて、前記識別部の下方に商品を収容する袋体を開口状態で支持する袋体支持部を有することを特徴とする。
【０００７】
また、本発明の請求項２に係るレジスターは、上記請求項１において、前記識別部と袋体支持部との間に設けた商品の通過を検出する商品通過検出手段と、前記識別部が前記識別符号を識別した後に前記商品通過検出手段が商品の通過を検出した場合に前記袋体に商品の収容を許容する一方、前記商品通過検出手段のみが商品の通過を検出した場合に警告する収容警告手段とを有することを特徴とする。
【０００８】
また、本発明の請求項３に係るレジスターは、上記請求項２において、前記袋体支持部に支持した袋体に商品を搬出する商品搬出部を有し、予め搬出する商品と関連づけて商品の価格を前記データベースに登録し、前記搬出装置から商品を袋体に搬出した場合には、前記収容警告手段を無効化する一方、搬出した商品の価格を前記演算部が前記データベースから抽出して購入価格を算出することを特徴とする。
【０００９】
また、本発明の請求項４に係るレジスターは、上記請求項１〜３のいずれか一つにおいて、前記精算処理部に精算処理の開始を指示する精算開始指示手段と、前記精算開始指示手段の入力を条件に袋体に商品の収容を禁止する表示を行う表示手段とを有することを特徴とする。
【００１０】
また、本発明の請求項５に係るレジスターは、上記請求項１〜４のいずれか一つにおいて、前記袋体の取り出しを検出する袋体取出検出手段と、前記精算処理部の精算処理が完了する前に前記袋体取出検出手段が前記袋体の取り出しを検出した場合に警告する袋体取出警告手段とを有することを特徴とする。
【００１１】
また、本発明の請求項６に係るレジスターは、上記請求項１〜５のいずれか一つにおいて、前記袋体支持部は、商品を収容した袋体の取出動作に連動し、新たな袋体を供給する袋体供給装置を有することを特徴とする。
【００１２】
また、本発明の請求項７に係るレジスターは、上記請求項１〜６のいずれか一つにおいて、前記精算処理部が電子マネーのみによる精算処理を可能としたことを特徴とする。
【発明の効果】
【００１３】
本発明に係るレジスターは、識別部の下方に商品を収容する袋体を開口状態で支持する袋体支持部を有するので、識別符号を識別した商品を袋体にそのまま収容できるので、商品の購入を迅速に完了できるという効果を奏する。
【００１４】
本発明に係るレジスターは、識別部と袋体支持部との間に設けた商品の通過を検出する商品通過検出手段と、識別部が識別符号を識別した後に商品通過検出手段が商品の通過を検出した場合に、袋体に商品の収容を許容する一方、商品通過検出手段のみが商品の通過を検出した場合に警告する収容警告手段とを有するので、誤って識別符号を識別させることなく商品を袋体に収容した場合には、レジスターの利用者に警告できるという効果を奏する。
【００１５】
本発明に係るレジスターは、袋体支持部に支持した袋体に商品を搬出する商品搬出部を有し、予め搬出する商品と関連づけて商品の価格を前記データベースに登録し、搬出装置から商品を袋体に搬出した場合には、収容警告手段を無効化する一方、搬出した商品の価格を演算部がデータベースから抽出して購入価格を算出するので、レジスターにおいても商品の購入が可能となるという効果を奏する。
【００１６】
本発明に係るレジスターは、精算処理部に精算処理の開始を指示する精算開始指示手段と、精算開始指示手段の入力を条件に袋体に商品の収容を禁止する表示を行う表示手段とを有するので、精算処理を開始した後は、表示手段によって、袋体に商品を収容できないことが視認可能となるという効果を奏する。
【００１７】
本発明に係るレジスターは、袋体の取り出しを検出する袋体取出検出手段と、精算処理部の精算処理が完了する前に袋体取出検出手段が袋体の取り出しを検出した場合に警告する袋体取出警告手段とを有するので、精算処理の完了前に商品を収容した袋体を取り出す場合には、レジスターの利用者に警告できるという効果を奏する。
【００１８】
本発明に係るレジスターは、袋体支持部は、商品を収容した袋体の取出動作に連動し、新たな袋体を供給する袋体供給装置を有するので、レジスターの利用者が袋体支持部に袋体を支持する必要がないという効果を奏する。
【００１９】
本発明に係るレジスターは、精算処理部が電子マネーのみによる精算処理を可能としたので、迅速に精算処理が可能となるという効果を奏する。
【発明を実施するための最良の形態】
【００２０】
以下に添付図面を参照して、本発明に係るレジスターの好適な実施例を詳細に説明する。なお、この実施例によりこの発明が限定されるものではない。
【実施例】
【００２１】
まず、実施例に係るレジスター１の構成を説明する。なお、図１は本発明の実施例に係るレジスターを設置した店舗を示す図、図２は実施例に係るレジスターの外観斜視図、図３は図２に示したレジスターの正面図、図４は図２に示したレジスターの側面図である。
【００２２】
レジスター１は、図１に示すように、店員が操作するレジスターの近傍に設置して、不正行為を心理的に抑制可能な状況下において、使用されるものであり、識別部２、データベース３、演算部４、精算部５、商品収容部６、表示部７、商品搬出部８、案内部９を有している。
【００２３】
識別部２は、商品を識別する部分であり、商品に施した識別符号を識別する。具体的には、商品に施した識別符号はバーコードであり、識別部はバーコードリーダ２１である。バーコードは、メーカーコード、アイテムコード、チェックデジットを表し、これらの情報から商品がいかなるメーカーのもので、いかなるアイテムに属するか識別可能である。なお、識別符号は、バーコードに限定するものではなく、たとえば、ＩＣチップであってもよく、この場合に識別部２はＩＣリーダである。
【００２４】
データベース３には、識別符号と関連づけて商品名と商品の価格が登録してある。すなわち、バーコードのメーカーコード、アイテムコードと関連づけて商品名と商品の価格が登録してある。
【００２５】
演算部４は、データベースから商品の価格を抽出して購入価格を算出するものである。したがって、識別部２が識別した識別符号とデータベース３に登録してある識別符号とを照合し、識別部２が識別した識別符号と合致する識別符号と関連付けて登録してある商品名と商品の価格を抽出して購入価格を算出する。すなわち、バーコードリーダ２１がバーコードを読み取り、バーコードをメーカーコードとアイテムコードに変換する。演算部４は、変換したメーカーコードとアイテムコードにより、データベース３に登録してあるメーカーコードとアイテムコードを特定し、これらに関連づけて登録してある商品名と商品の価格を抽出して購入価格を算出する。なお、複数の商品を購入する場合には、上述した手順を順次繰り返し、抽出した価格の合計を購入価格として算出する。
【００２６】
精算部５は、演算部４が算出した購入価格を精算する部分であり、図２及び図３に示すように、精算ボタン５１（精算開始指示手段）、取消ボタン５２、リーダライタ５３、領収書発行装置５４を有している。
【００２７】
精算ボタン５１は、精算処理の開始を指示するボタンであり、精算ボタン５１を押下すると、精算処理が開始する。取消ボタン５２は精算処理の中断を指示するボタンであり、取消ボタン５２を押下すると、精算処理を中断する。したがって、精算ボタン５１を押下した後は、取消ボタン５２が押下されない限り、精算処理が進行する。
【００２８】
リーダライタ５３は、電子マネーによる精算処理を可能とするものであり、たとえば、Ｅｄｙ(R)カードのように予め預信を与えたカードから購入金額に相当する預信を引き去り、書き換えるものであり、電子マネーの媒体は、Eｄｙ(R)カードのほか、クレジットカード、デビッドカード等であってもよい。また、現金の収受を伴うものでなければ、プリペイドカードによる精算処理であっても良い。
【００２９】
領収書発行装置５４は、精算完了後に、購入金額を含む種々の情報をレシートに印字して発行するものである。
【００３０】
なお、精算開始指示手段は、精算ボタン５１に限られるものではなく、たとえば、電子マネーの提示、すなわち、Ｅｄｙ(R)カード等をリーダライタ５３にかざすこと、によるものでも良い。
【００３１】
商品収容部６は、購入する商品を収容する部分であり、図３及び図４に示すように、識別部２の下方に配設してある。商品収容部６は、商品を収容するレジ袋６１（袋体）を開口状態で支持するレジ袋支持体６２（袋体支持部）を有している。
【００３２】
また、商品収容部６は、レジ袋取出検出スイッチ６３（袋体取出検出手段）と、取出警告装置６４（袋体取出警告手段）とを有している。レジ袋取出検出スイッチ６３は、投光器と受光器とからなり、投光を遮光することによりレジ袋６１の取り出しを検出するものである。また、取出警告装置６４は、上述の精算部５が精算処理を完了する前にレジ袋取出検出スイッチ６３がレジ袋６１の取り出しを検出した場合に、レジスター１の利用者に警告するものである。
【００３３】
また、商品収容部６は、商品を収容したレジ袋６１の取出動作に連動し、新たなレジ袋６１を供給するレジ袋供給装置６５（袋体供給装置）を有している。レジ袋供給装置６５は、商品収容部６の左方に重ねてあるレジ袋６１をレジ袋支持体６２に供給して開口するものであり、レジ袋６１の取出動作に連動するものであれば、モータ等の駆動源（図示せず）によりレジ袋６１を供給するものであっても良い。
【００３４】
また、図３に示すように、識別部２と、レジ袋支持体６２との間には商品の通過を検出する商品通過検出センサ６６（商品通過検出手段）が設けてある。また、収容警告装置６７（収容警告手段）が設けてある。
【００３５】
収容警告装置６７は、バーコードリーダ２１がバーコードを識別した後に、商品通過検出センサ６６が商品の通過を検出した場合にレジ袋６１に商品の収容を許容する一方、商品通過検出センサ６６のみが商品の通過を検出した場合に警告するものである。したがって、識別部２に商品の識別符号を識別させることなく、商品をレジ袋６１に収容した場合に、レジスター１の利用者に注意を促すことが可能である。
【００３６】
商品通過検出センサ６６の上方には、レジ袋６１に商品の収容を禁止する表示部７（表示手段）が設けてある。表示部７は、たとえば、レジ袋６１の上方にレジ袋６１を隠蔽するフォログラムを形成し、商品の収容ができないことを明示するものであり、フォログラムを形成するための映写機７１と光源７２とを有している。なお、表示部７は光学的にレジ袋６１に商品の収容ができないことを明示するものであれば良く、フォログラムのほか、レジ袋６１の上方において、レジ袋６１の開口を遮る態様で可視光線を照射するものであっても良い。なお、この場合には、可視光線が照射されているときにはレジ袋６１に商品の収容ができないことを意味する。
【００３７】
レジスターは、レジ袋支持部に支持したレジ袋に商品を搬出する商品搬出部８を有している。商品搬出部８は、選択ボタン８１、商品収納ラック８２、商品搬出口８３を有している。商品搬出部８は、レジスター１において、商品の購入を可能とするものであり、いわゆるレジ前商品と称される小物商品の中でさらに定番化した商品を搬出可能とする。この定番化した商品とは、たとえば、ガム、フリスク(R)等の清涼菓子であり、これらのうち流行にかかわりなく、毎年一定の需要が保たれている基本型の商品を指している。
【００３８】
選択ボタン８１は、購入する商品を選択指示するものであり、図に示すように、レジスター１の中央部（図示の例では２つ）配設してある。商品収納ラック８２はレジスター１の背部に配設してあり、選択ボタン８１に対応する商品（たとえば、ガムと清涼菓子）が収容してある。商品搬出口８３は商品収納ラック８２から搬出した商品を搬出する部分であり、シュータ８４によって、商品収納ラック８２と連通している。
【００３９】
選択ボタン８１と商品の価格とは関連づけて予めデータベース３に登録してあり、選択ボタン８１の押下によって、搬出する商品を決定し、搬出する商品の価格を演算部４が抽出する。このように、商品搬出部８から搬出した商品は識別部２により識別することはないが、演算部４が搬出する商品の価格を抽出可能であるので、上述した収容警告装置６７を無効化する。
【００４０】
案内部９は、レジスター１を利用する利用客の利用手順を示したり、商品名、価格、購入金額を示したりする部分であるが、案内部９を有しなくても良い。
【００４１】
次に、実施例に係るレジスター１の使用方法を説明する。なお、図６はレジスターの使用方法を示したブロック図である。レジスター１は初期状態において、案内部９にレジスター１が稼働中である旨、たとえば、「いらっしゃいませ」等の表示をしている（ステップＳ１）。
【００４２】
利用客が商品のバーコードをバーコードリーダ２１にかざすと、バーコードリーダ２１がバーコードを識別し、バーコードをメーカーコード、アイテムコードに変換して演算部４に伝達する（ステップＳ２：ＹＥＳ）。
【００４３】
演算部４は、このメーカーコードとアイテムコードに基づいて、データベース３を検索して、商品名と商品価格を抽出し（ステップＳ３）、これらを案内部９に表示する（ステップＳ４）。たとえば、缶コーヒーのバーコードを識別した場合には、「缶コーヒー  １２０円」と表示する。利用客は、案内部９の表示を確認し、そのまま商品をレジ袋６１に収容する。このとき、商品通過検出センサ６６が商品の通過を検出する（ステップＳ５）。
【００４４】
ここで、商品のバーコードをバーコードリーダ２１に識別させることなく（ステップＳ２：ＮＯ）レジ袋６１に商品を収容すると、商品通過検出センサ６６が商品の通過を検出し（ステップＳ６：ＹＥＳ）、収容警告装置６７が利用客に警告する（ステップＳ７）。このとき、案内部９には、たとえば、「バーコードを読んでからレジ袋に商品をお入れください」と表示する。
【００４５】
利用客は、上記の手順を繰り返し、購入する商品をレジ袋６１に収容する。ここで、レジ袋６１をレジ袋支持体６２から取り出すと、レジ袋取出検出スイッチ６３がレジ袋６１の取り出しを検出して（ステップＳ８：ＹＥＳ）、取出警告装置６４が利用者に注意を促す（ステップＳ９）。
【００４６】
また、レジスター１において、ガム、フリスク等の定番商品を購入する場合には、対応する選択ボタン８１を押下する。すると、所望の定番商品が商品収納ラック８２からシュータ８４と商品搬出口８３を経由してレジ袋６１に収容される。このとき、所望の定番商品のバーコードはバーコードリーダ２１によって識別されないが、対応する選択ボタン８１の押下によって、演算部４が商品と商品の価格を抽出できるので、商品通過検出センサ６６が商品を検出しても、収容警告装置６７は無効化され、警告を発することはない。
【００４７】
利用客がすべての商品をレジ袋６１に収容したと判断し、精算ボタン５１を押下すると（ステップＳ１０：ＹＥＳ）、案内部９に購入金額と次の手順を表示する。たとえば、「購入金額  ６２０円  リーダライタにＥｄｙカードをかざしてください」と表示する。また、表示部７は、レジ袋６１に商品を収容できない旨の表示を行う。
【００４８】
ここで、Ｅｄｙ(R)カードをかざすことなく、取消ボタン５２を押下すると（ステップＳ１１：ＹＥＳ）、精算処理を中断して、表示部７はレジ袋６１に商品を収容できない旨の表示を解除し、商品の追加購入を許容する。
【００４９】
利用客が指示にしたがってリーダライタ５３にＥｄｙ(R)カードをかざすと（ステップＳ１１：ＮＯ，ステップＳ１２：ＮＯ，ステップ１３：ＹＥＳ）、精算部５はＥｄｙカードから購入金額に相当する預信（電子マネー）を引き去り、残額に相当する預信（電子マネー）に書き変える（ステップＳ１４）。そして、領収書発行装置５４からレシートを発行する。
【００５０】
利用者が商品を収容したレジ袋６１をレジ袋支持体６２から取り出すと、レジ袋取出検出スイッチ６３がレジ袋６１の取り出しを検出して、レジ袋供給装置６５が新たなレジ袋をレジ袋支持体６２に供給した後、初期状態に戻り、次の利用客の商品の購入処理を可能とする。
【００５１】
一方、利用者がＥｄｙ(R)カード等によって購入処理することなく、レジ袋６１をレジ袋支持体６２から取り出すと、レジ袋取出検出スイッチ６３がレジ袋６１の取り出しを検出して（ステップＳ１２：ＹＥＳ）、取出警告装置６４が利用者に注意を促す（ステップ１５）。
【００５２】
以上説明した本実施例に係るレジスター１によれば、バーコードリーダ２１の下方に商品を収容するレジ袋６１を開口状態で支持するレジ袋支持体６２を有するので、バーコードを識別した商品をレジ袋６１にそのまま収容できるので、商品の購入を迅速に完了できる。
【００５３】
また、バーコードリーダ２１とレジ袋支持体６２との間に設けた商品の通過を検出する商品通過検出センサ６６と、バーコードリーダ２１がバーコードを識別した後に商品通過検出センサ６６が商品の通過を検出した場合にレジ袋６１に商品の収容を許容する一方、商品通過検出センサ６６のみが商品の通過を検出した場合に警告する収容警告装置６７とを有するので、誤ってバーコードを識別させることなく商品をレジ袋６１に収容した場合には、レジスター１の利用者に警告できる。
【００５４】
また、レジ袋支持体６２に支持したレジ袋６１に商品を搬出する商品搬出部８を有するので、レジスター１においても商品の購入が可能となる。
【００５５】
また、精算部５に精算処理の開始を指示する精算ボタン５１と、精算ボタン５１の押下を条件にレジ袋６１に商品の収容を禁止する表示を行う表示部７とを有するので、精算処理を開始した後は、表示部７によって、レジ袋６１に商品を収容できないことが視認可能となる。
【００５６】
また、レジ袋６１の取り出しを検出するレジ袋取出検出スイッチ６３と、精算部５の精算処理が完了する前にレジ袋取出検出スイッチ６３がレジ袋６１の取り出しを検出した場合に警告する取出警告装置６４とを有するので、精算処理の完了前に商品を収容したレジ袋６１を取り出す場合には、レジスター１の利用者に警告できる。
【００５７】
また、商品収容部６は、商品を収容したレジ袋６１の取出動作に連動し、新たなレジ袋６１を供給するレジ袋供給装置６５を有するので、レジスター１の利用者がレジ袋支持体６２にレジ袋を供給する必要がない。
【００５８】
また、精算部５が電子マネーのみによる精算処理を可能としたので、釣り銭の収受を必要とせず、迅速に精算処理が可能となる。
【００５９】
なお、レジスター１の形状は図１〜図４に示したものに限られず、上記のレジスター１の機能を有するものであれば、図７に示すように、利用客が親しみやすい、キャラクターの形状を有するレジスター１０であっても良い。
【００６０】
本実施例に係るレジスター１は、繰り返し利用する利用客（リピータ客）は、レジスター１の扱いにもなれるので、利用客が自ら購入処理、すなわち、セルフレジスターを達成できる。また、商品の購入後に商品をレジ袋に収容する必要がないので、コンビニエンスストア等のように短時間に大量の利用者に商品を販売する店舗にも適している。
【産業上の利用可能性】
【００６１】
以上のように、本発明に係るレジスターは、リピータ客が少量の商品を購入する場合に有用であり、特に、自ら精算を行うレジスターに適している。
【図面の簡単な説明】
【００６２】
【図１】本発明の実施例に係るレジスターを設置した店舗を示す図である。
【図２】本発明の実施例に係るレジスターの外観斜視図である。
【図３】図２に示したレジスターの正面図である。
【図４】図２に示したレジスターの側面図である。
【図５】図２に示したレジスターのブロック図である。
【図６】レジスターの使用方法を示したブロック図である。
【図７】キャラクターの形状を有するレジスターの外観斜視図である。
【符号の説明】
【００６３】
１      レジスター
２      識別部
３      データベース
４      演算部
５      精算部
６      商品収容部
７      表示部
８      商品搬出部
２１      バーコードリーダ
５１      精算ボタン
５２      取消ボタン
５３      リーダライタ
６１      レジ袋
６２      レジ袋支持体
６３      レジ袋取出検出スイッチ
６４      取出警告装置
６５      レジ袋供給装置
６６      商品通過検出センサ
６７      収容警告装置
７１      映写機
７２      光源
８１      選択ボタン
８２      商品収納ラック
【図１】
2005258943.tif 000003
【図２】
2005258943.tif 000004
【図３】
2005258943.tif 000005
【図４】
2005258943.tif 000006
【図５】
2005258943.tif 000007
【図６】
2005258943.tif 000008
【図７】
2005258943.tif 000009